(57)【特許請求の範囲】
【請求項１】
肩部を有する雄端子と、該雄端子を挿入する端子収容室を形成した雌ハウジング本体と、該雌ハウジング本体の外周面から雄端子挿入方向へ膨出形成されたフードとから成り、前記雌ハウジング本体とフードとの間に形成されたホルダ収容室と、該ホルダ収容室内で前記雌ハウジング本体に組み付けられ、且つ前記端子収容室に対応する端子挿通孔を有する雄端子ホルダと、該雄端子ホルダの雌ハウジング本体側で雄端子挿入方向と交差する方向へスライド自在に係合され、前記端子収容室に対応する端子導入口を有し、前記端子収容室内に挿入された前記雄端子の挿入状態を検知する雄端子係止具とを備え、前記雄端子係止具が、前記雄端子ホルダに仮係止又は本係止される枠体と、仮係止時に該枠体内に前記雄端子を挿入可能であり、且つ本係止時に前記雄端子の肩部に係合するように、前記枠体にスライド方向と交差する方向へ配設された一又は複数の垂直壁と、該垂直壁から雄端子方向へ延設された少なくとも一つの操作レバーとから成り、該操作レバーが、前記雄端子係止具の仮係止時に前記端子挿通孔から突出する前記雄端子のコジリを防止するため、前記雄端子係止具の略中央に配置されると共に、前記雄端子ホルダーを介して前記フード内へ突出することを特徴とする端子係止具付き雌コネクタ。
【請求項２】
雄コネクタを雌コネクタのフード内に嵌合する電気コネクタにおいて、
前記雄コネクタは、肩部を有する雌端子と、該雌端子を挿入する端子収容室を形成した雄ハウジング本体とから成り、前記雄ハウジング本体の外周面から雌端子挿入方向へ膨出形成されたホルダ収容室と、前記端子収容室に対応する端子挿通孔を有し、且つ前記ホルダ収容室内で前記雄ハウジング本体に組み付けられる雌端子ホルダと、前記雌端子ホルダの雄ハウジング本体側に雌端子挿入方向へスライド自在に係合され、前記端子収容室に対応する端子導入口を有し、前記端子収容室内へ挿入された前記雌端子の挿入状態を検知する雌端子係止具とを備えており、
前記雌コネクタは、肩部を有する雄端子と、該雄端子を挿入する端子収容室を形成した雌ハウジング本体と、該雌ハウジング本体の外周面から雄端子挿入方向へ膨出形成されたフードとから成り、前記雌ハウジング本体とフードとの間に形成されたホルダ収容室と、該ホルダ収容室内で前記雌ハウジング本体に組み付けられ、且つ前記端子収容室に対応する端子挿通孔を有する雄端子ホルダと、該雄端子ホルダの雌ハウジング本体側で雄端子挿入方向と交差する方向へスライド自在に係合され、前記端子収容室に対応する端子導入口を有し、前記端子収容室内に挿入された前記雄端子の挿入状態を検知する雄端子係止具とを備えていて、
前記雌端子ホルダには前記雄端子係止具の操作レバーを収容するレバー収容孔が形成されると共に、前記端子係止具付き雌コネクタのホルダ収容室には前記雌端子係止具の操作レバーを収容するレバー収容空間が設けられていることを特徴とする端子係止具付き電気コネクタ。
【請求項３】
端子係止具付き雄コネクタの雌端子係止具には前記端子係止具付き雌コネクタのレバー収容孔に対応するレバー受入口が形成されていることを特徴とする請求項２記載の端子係止具付き電気コネクタ。
【請求項４】
端子係止具付き雌コネクタと端子係止具付き雄コネクタとがカム機構よって低挿入力で嵌合されるようになっていることを特徴とする請求項２，３のいずれか記載の端子係止具付き電気コネクタ。
【請求項５】
端子係止具付き雄コネクタと端子係止具付き雌コネクタが防水型であることを特徴とする請求項２乃至４のいずれか記載の端子係止具付き電気コネクタ。
【発明の詳細な説明】
【０００１】
【発明の属する技術分野】
本発明は、端子係止具付き雌コネクタ及び端子係止具付き電気コネクタに関するものである。
【０００２】
【従来の技術】
従来、図３０のようなコネクタ１５０が提案されている（ＥＰ０７０３６４３Ａ１）。
このコネクタ１５０は、端子１５２を挿着するハウジング本体１５１と、ハウジング本体１５１に膨出形成されたフード１５３と、ハウジング本体１５１に挿着される端子係止具１５４と、端子係止具１５４から突出する端子１５２を保持する端子ホルダ１５５とから成る。端子収容室１５６への端子１５２の挿入方向と直交する方向へ端子係止具１５４をスライドすることによって端子１５２を係止する。端子係止具１５４には操作レバー１５７が前方へ突設され、操作レバー１５７の先端部には摺動面１５７ａが形成されている。
【０００３】
コネクタ１５０のフード１５３内に相手方コネクタ（図示せず）を嵌合する際に、相手方コネクタ内に設けられた傾斜面と摺動面１５７ａとが突き当たる。傾斜面が摺動面１５７ａを押圧することにより、端子係止具１５４がスライドされ、端子係止具１５４が端子１５２を係止する。
【０００４】
【発明が解決しようとする課題】
しかしながら、コネクタ１５０と相手方コネクタとの嵌合時に、端子係止具１５４をスライドさせて端子１５２を係止するだけであるから、ハウジング本体１５１内に挿着された端子１５２の挿入状態を検知できない欠点があった。そのため、相手方コネクタとの嵌合後に、電気的な接触不良を起こす危険があった。
【０００５】
本発明は上記した点に鑑み、端子の挿入状態を検知することができる端子係止具付き雌コネクタ及び端子係止具付き電気コネクタを提供することを目的とする。
【０００６】
【課題を解決するための手段】
上記目的を達成するために、本発明の端子係止具付き雌コネクタは、肩部を有する雄端子と、該雄端子を挿入する端子収容室を形成した雌ハウジング本体と、該雌ハウジング本体の外周面から雄端子挿入方向へ膨出形成されたフードとから成り、前記雌ハウジング本体とフードとの間に形成されたホルダ収容室と、該ホルダ収容室内で前記雌ハウジング本体に組み付けられ、且つ前記端子収容室に対応する端子挿通孔を有する雄端子ホルダと、該雄端子ホルダの雌ハウジング本体側で雄端子挿入方向と交差する方向へスライド自在に係合され、前記端子収容室に対応する端子導入口を有し、前記端子収容室内に挿入された前記雄端子の挿入状態を検知する雄端子係止具とを備え、前記雄端子係止具が、前記雄端子ホルダに仮係止又は本係止される枠体と、仮係止時に該枠体内に前記雄端子を挿入可能であり、且つ本係止時に前記雄端子の肩部に係合するように、前記枠体にスライド方向と交差する方向へ配設された一又は複数の垂直壁と、該垂直壁から雄端子方向へ延設された少なくとも一つの操作レバーとから成り、該操作レバーが、前記雄端子係止具の仮係止時に前記端子挿通孔から突出する前記雄端子のコジリを防止するため、前記雄端子係止具の略中央に配置されると共に、前記雄端子ホルダーを介して前記フード内へ突出することを特徴とする。
【０００７】
本発明の端子係止具付き電気コネクタは、請求項２に記載のものにおいては、雄コネクタを雌コネクタのフード内に嵌合する電気コネクタにおいて、前記雄コネクタは、肩部を有する雌端子と、該雌端子を挿入する端子収容室を形成した雄ハウジング本体とから成り、前記雄ハウジング本体の外周面から雌端子挿入方向へ膨出形成されたホルダ収容室と、前記端子収容室に対応する端子挿通孔を有し、且つ前記ホルダ収容室内で前記雄ハウジング本体に組み付けられる雌端子ホルダと、前記雌端子ホルダの雄ハウジング本体側に雌端子挿入方向へスライド自在に係合され、前記端子収容室に対応する端子導入口を有し、前記端子収容室内へ挿入された前記雌端子の挿入状態を検知する雌端子係止具とを備えており、
前記雌コネクタは、肩部を有する雄端子と、該雄端子を挿入する端子収容室を形成した雌ハウジング本体と、該雌ハウジング本体の外周面から雄端子挿入方向へ膨出形成されたフードとから成り、前記雌ハウジング本体とフードとの間に形成されたホルダ収容室と、該ホルダ収容室内で前記雌ハウジング本体に組み付けられ、且つ前記端子収容室に対応する端子挿通孔を有する雄端子ホルダと、該雄端子ホルダの雌ハウジング本体側で雄端子挿入方向と交差する方向へスライド自在に係合され、前記端子収容室に対応する端子導入口を有し、前記端子収容室内に挿入された前記雄端子の挿入状態を検知する雄端子係止具とを備えていて、
前記雌端子ホルダには前記雄端子係止具の操作レバーを収容するレバー収容孔が形成されると共に、前記端子係止具付き雌コネクタのホルダ収容室には前記雌端子係止具の操作レバーを収容するレバー収容空間が設けられていることを特徴とする。
【０００８】
請求項３に記載のものにおいては、端子係止具付き雄コネクタの雌端子係止具には前記端子係止具付き雌コネクタのレバー収容孔に対応するレバー受入口が形成されていることを特徴とする。
【０００９】
請求項４に記載のものにおいては、端子係止具付き雌コネクタと端子係止具付き雄コネクタとがカム機構よって低挿入力で嵌合されるようになっていることを特徴とする。
請求項５に記載のものにおいては、前記端子係止具付き雄コネクタと端子係止具付き雌コネクタが防水型であることを特徴とする。
【００１０】
請求項１に記載の端子係止具付き雌コネクタによれば、ホルダ収容室が雌ハウジング本体から膨出形成されたフードと雌ハウジング本体との間に形成されている。ホルダ収容室内で雌ハウジング本体に組み付けられる雄端子ホルダが、端子収容室に対応する端子挿通孔を有する。雄端子ホルダの雌ハウジング本体側で雄端子挿入方向と交差する方向へスライド自在に係合される雄端子係止具が、端子収容室に対応する端子導入口を有し、端子収容室内に挿入された雄端子の挿入状態を検知する。
即ち、雄端子係止具は、ホルダ収容室内で雄端子ホルダと雌ハウジング本体との間にスライド自在に配置されている。端子収容室と端子挿通孔とは雄端子係止具を介して対応している。そのため、端子収容室内に挿入された雄端子の挿入状態は、雄端子係止具を通過する雄端子の挿入状態を検知することによって行われる。
【００１１】
この場合、枠体が雄端子ホルダに仮係止又は本係止される。枠体には雄端子係止具のスライド方向と直交する方向へ垂直壁が配設されており、垂直壁から雄端子挿入方向へ少なくとも一つの操作レバーが延設されている。そのため、操作レバーによって雄端子ホルダに雄端子係止具を仮係止した時には、雄端子が枠体内に挿入される。また、雄端子ホルダに雄端子係止具を本係止した時には、垂直壁が雄端子の肩部に係合される。これにより、垂直壁が雄端子の肩部に係合されるか否かによって端子収容室内に挿入された雄端子の挿入状態が検知される。
【００１２】
そして、操作レバーが雄端子係止具の略中央に配置されていると共に、雄端子ホルダを介してフード内へ突出しているから、雄端子係止具の仮係止時に、雄端子ホルダの端子挿通孔から突出する雄端子が操作レバーに突き当たって、雄端子のコジリ（変形）が防止される。
【００１３】
本発明の端子係止具付き電気コネクタによれば、請求項２に記載のものにおいては、雄コネクタにおける雌端子ホルダがホルダ収容室内の雄ハウジング本体側に組み付けられ、雌端子係止具が雌端子ホルダの雄ハウジング本体側に端子収容室への雌端子挿入方向と直交する方向へスライド自在に係合している。即ち、雌端子係止具は雌端子ホルダと雄ハウジング本体との間でスライドする。また、雌端子ホルダの端子挿通孔と、雌端子係止具の端子導入口とは雄ハウジング本体の端子収容室にそれぞれ対応している。そのため、雌端子係止具のスライドにより、雌端子係止具が端子収容室内へ挿入された雌端子の挿入状態を検知する。
【００１４】
一方、雌コネクタにおいては、ホルダ収容室が雌ハウジング本体から膨出形成されたフードと雌ハウジング本体との間に形成されている。ホルダ収容室内で雌ハウジング本体に組み付けられる雄端子ホルダが、端子収容室に対応する端子挿通孔を有する。雄端子ホルダの雌ハウジング本体側で雄端子挿入方向と交差する方向へスライド自在に係合される雄端子係止具が、端子収容室に対応する端子導入口を有し、端子収容室内に挿入された雄端子の挿入状態を検知する。
即ち、雄端子係止具は、ホルダ収容室内で雄端子ホルダと雌ハウジング本体との間にスライド自在に配置されている。端子収容室と端子挿通孔とは雄端子係止具を介して対応している。そのため、端子収容室内に挿入された雄端子の挿入状態は、雄端子係止具を通過する雄端子の挿入状態を検知することによって行われる。
【００１５】
また、本係止時には、雄端子係止具の操作レバーを収容するレバー収容孔が雌端子ホルダに形成されていると共に、雄端子係止具の操作レバーを収容するレバー収容空間が端子係止具付き雌コネクタのホルダ収容室に形成されている。そのため、端子係止具付き雌コネクタと端子係止具付き雄コネクタとの嵌合が可能になる。即ち、各操作レバーをレバー収容孔及びレバー収容空間に挿入可能か否かによって、端子係止具付き雌コネクタと端子係止具付き雄コネクタとの嵌合状態が検知可能になる。
【００１６】
請求項３に記載のものによれば、レバー収容孔に対応するレバー受入口が雌端子係止具に形成されている。そのため、端子係止具付き雌コネクタと端子係止具付き雄端子との嵌合時に、雄端子係止具の操作レバーが雌端子係止具のレバー受入口に挿入可能か否かによって、雄端子係止具と雌端子係止具とが共に本係止状態でないか、又は何れか一方が本係止状態でないかを検知可能である。
【００１７】
請求項４に記載のものによれば、カム機構によって端子係止具付き雌コネクタと端子係止具付き雄コネクタとが嵌合される。そのため、嵌合作業が低挿入力で行える。
請求項５に記載のものによれば、端子係止具付き雌コネクタと端子係止具付き雄コネクタを防水型にすることも可能である。
【００１８】
【発明の実施の形態】
以下、図面を参照しながら、本発明の端子係止具付き雌コネクタ及び端子係止具付き電気コネクタの実施の形態の具体例を説明する。
図１〜図１３は本発明に係る端子係止具付き電気コネクタに使用される端子係止具付き雄コネクタ（以下、単に雄コネクタという）の一実施形態を示すものである。
図１に示すように、この雄コネクタ１Ａは、雌端子２Ａ，２Ａ′、雄コネクタハウジング３Ａ、雌端子係止具４Ａ、雌端子ホルダ５Ａ、及び防水カバー６Ａから構成されている。雄コネクタハウジング３Ａ、雌端子係止具４Ａ、及び雌端子ホルダ５Ａは絶縁樹脂製であり、防水カバー６Ａはゴム製である。
【００１９】
図２のように、雌端子２Ａは、ブロック状の端子本体１１と、端子本体１１の両側に切り起こされた可撓係止片１２と、端子本体１１の前端から突出した二股状接触子１３と、端子本体１１の後端から延びる延設板１４に立設された電線加締片１５と、延設板１４に配置されたゴム栓加締片１５とから成る。電線加締片１５には電線１７が加締められる。ゴム栓加締片１６には加締められた電線１７を覆うゴム栓１８が加締められる。端子本体１１の後端には肩部１９が配置されている。
【００２０】
図１の雌端子２Ａ′は雌端子２Ａより大きい。雌端子２Ａ′の構成は、雌端子２Ａと殆ど同じであるので、説明を省略する。なお、雌端子２Ａに対応する構成部材には雌端子２Ａの構成部材の符号に「′」を付けて示す（図２参照）。
【００２１】
図１及び図３に示すように、雄コネクタハウジング３Ａは、雄ハウジング本体２０、ホルダ収容室２２、ロックアーム２３、及び鍔２４から成る。
雄ハウジング本体２０には複数の端子収容室２１，２１′が貫通されている。端子収容室２１には雌端子２Ａが、端子収容室２１′には雌端子２Ｂ′がそれぞれ挿着される。雄ハウジング本体２０の外周面には、前方（雌端子挿入方向（Ｐ方向））へホルダ収容室２２が膨出形成され、上部に片持ち状のロックアーム２３が立ち上げられている。外周面の後端には鍔２４が上部を除いて周設されている。フード２３の外周面には両側に駆動軸２５，２５が突設され、上部に一対の案内突起２６，２６が配置されいる。
【００２２】
図１及び図３に示すように、雌端子係止具４Ａは、矩形状の枠体３１と、枠体３１を区画するための平行壁３２及び垂直壁３３と、平行壁３２及び垂直壁３３によって区画された端子導入口３４，３４′及びレバー受入口３５と、枠体３１の左側から雌端子挿入方向（Ｐ方向）へ突出された操作レバー３６とから成る。
【００２３】
平行壁３２は、雌端子係止具４Ａのスライド方向（Ｘ方向）に配設されている。垂直壁３３は平行壁３２と直交（請求項の交差に相当）するように配設されている。枠体３１には右側の上部及び下部と、左側の下部とに一段低い段差３７，３７，３７′があり、段差３７には係止突起３８が設けられている。係止突起３８はスライド方向にストッパ面３８ａと傾斜面３８ｂとを有する。端子導入口３４，３４′の個数及び配置場所は雄ハウジング本体３Ａの端子収容室２１，２１′とそれぞれ同一である。レバー収容孔３５は二つ形成されている。なお、スライド方向（Ｘ方向）とは雌端子挿入方向（Ｐ方向）と直交する方向である。
【００２４】
図３及び図４に示すように、雌端子ホルダ５Ａは、ブロック状のホルダ本体４０と、ホルダ本体４０に貫通する端子挿通孔４１，４１′と及びレバー収容孔４２と、ホルダ本体４０の裏面４０ａに配置された一対のガイドレール４３，４３と、ホルダ本体４０の裏面４０ａから突出するホルダ係合突起４４と、ホルダ本体４０の裏面４０ａで右側に配置された係止部４５とから成る。
【００２５】
端子挿通孔４１，４１′の個数及び配置場所は雌端子係止具４Ａの端子導入口３４，３４′とそれぞれ同一である。そして、レバー収容孔４２の個数及び配置場所は雌端子係止具４Ａのレバー受入口３５と同じである。ガイドレール４３は断面Ｌ字状に形成され、裏面４０ａの上部及び下部にスライド方向（Ｘ及びＸ′方向）へそれぞれ配置されている。ガイドレール４３に沿って雌端子係止具４Ａがスライド自在である。
【００２６】
図３及び図４に示すように、ホルダ本体４０の裏面４０ａには後方（雌端子挿入方向に対して反対方向）へ四つの鈎状のホルダ係合突起４４が延設されている。各ホルダ係合突起４４の配置場所は、上部両側と下部両側とである。上部両側及び下部両側のホルダ係合突起４４の間にはそれぞれガイドレール４３が位置している。
【００２７】
同じく裏面４０ａの右側の上部及び下部には後方へ補助壁４６が突設され、補助壁４６の相対向する対向面４６ａには雌端子係止具４Ａの係止突起３８に対する係止部４５が形成されている。
係止部４５は、対向面４６ａから突設された位置決め突起４７と、位置決め突起４７からスライド方向へ配置されたストッパ壁４８と、位置決め突起４７とストッパ壁４８との間に設けられた突起収容空間４９とから成る。位置決め突起４７及びストッパ壁４８とはホルダ本体４０の裏面４０ａから後方へ延びるリブ状である。位置決め突起４７の両側にはテーパ面４７ａ，４７ａが、及びストッパ壁４８の左側にはストッパ面４８ａがそれぞれ形成されている。
【００２８】
図１に示すように、雄ハウジング本体３Ａの鍔２４に嵌着される防水カバー６Ａは、漏斗状のカバー本体５１と、カバー本体５１の周縁に周設されたフランジ５２とから成る。カバー本体５１には孔５３が形成されている。フランジ５２には雄ハウジング本体３Ａの鍔２４が嵌着される。
【００２９】
次に、中途挿入状態を検知しながら、雄コネクタ１Ａを組み立てる方法について説明する。なお、雌端子２Ａ′の場合は雌端子２Ａと同一であるので、説明を省略する。
【００３０】
図２に示すように、電線１７をゴム栓１８に通し、雌端子２Ａの電線加締片１５に電線１６を加締め、防水カバー６Ａの孔５３に挿通する。なお、雌端子２Ａ′の場合も雌端子２Ａと全く同じであるので、雌端子２Ａ′に関する説明を省略する。
【００３１】
図４のように、雌端子ホルダ５Ａのガイドレール４３に雌端子係止具４Ａをスライド自在に取り付ける。雌端子係止具４Ａを自由にした状態で、雌端子ホルダ５Ａの位置決め溝４０ｂとホルダ収容室２２の位置決めリブ（図示せず）とによって、図５の如くに、雌端子ホルダ５Ａをホルダ収容室２２内に案内する。ホルダ係合突起４４を雌ハウジング本体２０の本体側係止突起（図示せず）に係合することにより、ホルダ収容室２３内で雌ハウジング本体２０の前面に雌端子ホルダ５Ａを組み付ける。
【００３２】
図４に示すように、操作レバー３６を把持して雌端子係止具４Ａを右側（Ｘ′方向）へスライドさせ、雌端子係止具４Ａの係止突起３８を雌端子ホルダ５Ａの位置決め突起４７に突き当てる。雌端子係止具４Ａを更にＸ′方向へ押し込むと、係止突起３８が位置決め突起４８を乗り越えて突起収容空間４９に挿入される。これにより、雌端子係止具４Ａが雌端子ホルダ５Ａに対して仮係止される。この時、図５のように、雌端子ホルダ５Ａの端子挿通孔４１と、雌端子係止具４Ａの端子導入口３４と、雌ハウジング本体２０の端子収容室２１とがそれぞれ対応している。それと共に、雌端子ホルダ５Ａのレバー収容孔４２と、雌端子係止具４Ａのレバー受入口３５とが対応している。雌端子係止具４Ａの操作レバー３６は雌端子ホルダ４Ａの左側から前方へ突出している。
【００３３】
図６及び図７に示すように、雄ハウジング本体２０の端子収容室２１から電線１７を加締めた雌端子２Ａを挿入する。雌端子２Ａの二股状接触子１３が端子収容室２１に挿入されると、端子導入口３４から端子挿通孔４１を通って外部へ突出する。雌端子２Ａの端子本体１１は端子収容室２１から端子導入口３４を通過して端子挿通孔４１内に挿入される。端子挿通孔４１には多少のクリアランス（隙間又は遊び）があるので、端子挿通孔４１内では雌端子２Ａが密着せず僅かに雌端子挿入方向（Ｐ方向）又はその反対方向に対して移動可能な状態である。この時、雌端子２Ａの可撓係止片１２が、端子挿通孔４１内に形成された係合段部４０ｃに係止（一次係止）される。ゴム栓１８は端子収容室２１の内周面に密着される。
【００３４】
そこで、図７のように、雌端子係止具４Ａの操作レバー３６を把持して左方向（Ｘ方向）へスライドさせる。雌端子係止具４Ａの係止突起３８に雌端子ホルダ５Ａの位置決め突起４７を乗り越えさせ、雌端子ホルダ５Ａに対する雌端子係止具４Ａの仮係止状態を解除させる。
【００３５】
図９及び図１０に示すように、雌端子２Ａが完全に端子収容室２１内に挿入されている場合には、スライドされた雌端子係止具４Ａの垂直壁３３と、枠体３１の垂直部３１ａとが雌端子２Ａの肩部１９に係合し、雌端子２Ａが二次係止される。つまり、雌端子係止具４Ａが本係止されると共に、雌端子２Ａが二重係止される。
【００３６】
一方、図１１及び図１２に示すように、雌端子２Ａが端子収容室２１内に不完全な中途挿入状態である場合には、垂直壁３３が雌端子２Ａの端子本体２２に突き当たって肩部１９に係合しない。即ち、雌端子ホルダ５Ａに対して雌端子係止具４Ａを本係止できないと共に、雌端子２Ａを二重係止できない。これにより、端子収容室２１内での雌端子２Ａの不完全挿入状態を検知できる。不完全状態が検知されたならば、不完全挿入状態の雌端子２Ａ″を治具等によって完全挿入状態にする。
【００３７】
なお、雌端子２Ａの不完全挿入状態に関して程度の差はあるが、僅か（クリアランスで吸収可能な程度）であれば、スライドされた雌端子係止具４Ａの垂直壁３３と枠体３１の垂直部３１ａとによって雌端子２Ａを端子挿通孔４１内へ押し込むことができる。つまり、雌端子２Ａを端子収容室２１内に押し込むことが可能なので、雌端子２Ａの不完全挿入状態を完全挿入状態へ自動的に移行できる。
防水カバー６Ａのフランジ５２を雄ハウジング本体２０の鍔２４に嵌着することによって、雄コネクタ１Ａが組み立てられる。
【００３８】
図１４〜図２６は本発明に係る端子係止具付き雌コネクタ（以下、単に雌コネクタという）の一実施形態を示すものである。なお、雄コネクタ１Ａと同一構成部分には同一名称を付けて詳細な説明を省略する。
【００３９】
図１４に示すように、この雌コネクタ１Ｂは、雄端子２Ｂ，２Ｂ′、雌コネクタハウジング３Ｂ、雄端子係止具４Ｂ、雄端子ホルダ５Ｂ、防水カバー６Ｂ、シールパッキン７から構成されている。雌ハウジング本体３Ｂ、雄端子係止具４Ｂ、及び雄端子ホルダ５Ｂは絶縁樹脂製であり、防水カバー６Ｂとシールパッキン６はゴム製である。
【００４０】
図１５に示すように、雄端子２Ｂは、ブロック状の端子本体６１と、端子本体６１の両側壁から切り起こされた可撓係止片６２，６２と、端子本体６１の前端部に延設されたタブ状接触子６３、端子本体６１の後端部から後方へ延びる延設板６４とから成る。また、雄端子２Ｂは導電性の金属板材をプレス加工することによって形成される。端子本体６１の後端部が段状の肩部６５に相当する。延設板６４には電線１７を加締めるための一対の電線加締片６６，６６と、ゴム栓６７を加締めるための一対のゴム栓加締片６８，６８とがそれぞれ配置されている。電線１７を雄端子２Ｂに加締めた後に、ゴム栓６７が雄端子２Ｂの後端部に嵌着され、ゴム栓加締片６８によって加締められる。
【００４１】
図１４の雄端子２Ｂ′は雄端子２Ｂより大きい。雄端子２Ｂ′の構成は、雄端子２Ｂと殆ど同じであるので、説明を省略する。なお、雄端子２Ｂに対応する構成部材には雄端子２Ｂの構成部材の符号に「′」を付けて示す（図１５参照）。
図１４及び図１６に示すように、雌コネクタハウジング３Ｂは、雌ハウジング本体７０、ホルダ収容室７２、フード７３、及び鍔７４から成る。
雌ハウジング本体７０内には複数の端子収容室７１，７１′が貫通されている。端子収容室７１には雌端子２Ｂが、端子収容室７１′には雌端子２Ｂ′がそれぞれ挿着される。
【００４２】
雌ハウジング本体７０の外周面には前方（端子収容室７１への雄端子２Ｂの挿入方向（Ｑ方向））へホルダ収容室７２が膨出形成され、ホルダ収容室７２の内面には上部及び下部に一条の位置決めリブ（図示せず）がそれぞれ突設されている。ホルダ収容室７２内で雌ハウジング本体７０の前面には、雌端子係止具５Ｂを収容して組み付けるため上部及び下部に係合突起（図示せず）がそれぞれＱ方向へ突設されている。
【００４３】
ホルダ収容室７２の外周面には前方へフード７３が膨出形成されている。フード７３の両側壁には導入切欠７３′，７３′が形成され、内面にパッキン用突起７５，７５が内方へ突設され、外面に係合ピン７６がそれぞれ外方へ設けられている。フード７３の上壁には一対のガイド溝７７が雄端子挿入方向（Ｑ方向）へ形成されている。
【００４４】
図１４に示すように、雌ハウジング本体７０の後端縁には上部を除いて鍔７４が周設され、鍔７４には防水カバー６Ｂが嵌着される。
フード７３の係合ピン７６には操作用カム部材８が回動自在に軸支される。操作用カム部材８は、把手８１と、把手８１の両端部に一体的に形成された一対のレバー８２，８２と、各レバー８２に形成されたカム溝８３とから成る。把手８１には略中央に嵌合板８４が配置されている。一対のレバー８２，８２にはそれぞれ軸孔８５が形成されている。軸孔８５にはフード７３の係合ピン７６が軸支される。カム溝８３の入口８３ａにはレバー８２の強度を高めるためにブリッジ８６が架設されている。フード７３の係合ピン７６と操作用カム部材８のレバー８２との間にはコイル（螺旋）状のバネ部材８７が介在される。バネ部材８７によって操作用カム部材８が常に一方の方向（反嵌合方向、即ち時計方向）へバネ付勢されている。
【００４５】
図１４及び図１６に示すように、雄端子係止具４Ｂは、略矩形状の枠体９１と、枠体９１内を区画するために設けられた複数の平行壁９２及び垂直壁９３と、平行壁９２及び垂直壁９３によって区画形成された複数の端子導入口９４，９４′と、平行壁９２と垂直壁９３との交差部９５から前方へ突設された一対の操作レバー９６，９６とから成る。枠体９１の四隅には段差９７，９７′が形成され、右側の段差９７には係止突起９８がそれぞれ設けられている。
【００４６】
係止突起９８は雄端子係止具４Ｂのスライド方向（Ｙ及びＹ′方向）の側にストッパ面９８ａと、逆側に傾斜面９８ｂとを有する。枠体９１の段差９７は上下方向へ可撓するので、係止突起９８は上下方向へ変位できる。端子導入口９４，９４′の個数及び配置場所は雌ハウジング本体４Ｂの端子収容室７１，７１′にそれぞれ対応している。
【００４７】
図１４及び図１６に示すように、一対の操作レバー９６，９６は薄板状に形成され、枠体９１の略中央で所望の間隔にそれぞれ配置されている。各操作レバー９６の長さＬは、雄端子ホルダ５Ｂの厚さ（厚みの距離）Ｔよりも長く、且つフード７３の突出距離Ｓよりも短い（Ｔ＜Ｌ＜Ｓ）。雄端子係止具４Ｂに一対の操作レバー９６，９６を前方へ突設することにより、端子導入口９４を通過した雄端子２Ｂのコジリを防止できる。即ち、もし端子導入口９４を傾斜した状態で雄端子２Ｂのタブ状接触子６３が通過しても、タブ状接触子６３がいずれかの操作レバー９６に突き当たる。これにより、雄端子２Ｂの傾斜状態を正常（雄端子挿入方向（Ｑ方向）に対して真っ直ぐ）に矯正できる。なお、雌端子２Ｂ′のコジリが防止される場合についても同様であるので、説明を省略する。
【００４８】
図１４及び図１６に示すように、雄端子ホルダ５Ｂは、ブロック状のホルダ本体１００と、ホルダ本体１００を貫通する複数の端子挿通孔１０１，１０１′及び一対のレバー挿入孔１０２と、ホルダ本体１００の裏面１００ａに形成された一対のガイドレール１０３，１０３と、裏面１００ａの左側に配置された一対の仮係止部１０４とから成る。ホルダ本体１００の外周面には雄端子挿入方向（Ｑ方向）と平行な位置決め溝１０５が形成されている。位置決め溝１０５がホルダ収容室７２の位置決めリブによって案内する。
【００４９】
端子挿通孔１０１，１０１′の個数及び配置場所は雄端子係止具４Ｂの端子導入口９４，９４′にそれぞれ対応している。挿入された操作レバー９６を左右方向（又は横方向）へ移動可能なように、レバー挿入孔１０２は長孔状（又は略矩形状）に形成されている。
【００５０】
図１６及び図１７のように、ホルダ本体１００の裏面１００ａで上下部には後方へ鈎状のホルダ係合突起１０６が突設され、左端から後方へ補助壁１０７が延設されている。ホルダ係合突起１０６は上部及び下部にそれぞれ一対ずつ配置され、且つ各ホルダ係合突起１０６の間にはガイドレール１０３が位置している。ホルダ係合突起１０６はガイドレール１０３よりもホルダ本体１００の裏面１００ａから突出している。
【００５１】
図１７に示すように、一対の補助壁１０７，１０７のうち相対向する対向面１０７ａ，１０７ａには仮係止部１０４が設けられている。
仮係止部１０４は、対向面１０７ａに突設された位置決め突起１０８と、位置決め突起１０８から雄端子ホルダ５Ｂのスライド方向（Ｙ及びＹ′方向）へ並んで配置されたストッパ壁１０９と、位置決め突起１０８とストッパ壁１０９との間に設けられた突起収容空間１１０とから成る。
【００５２】
位置決め突起１０８及びストッパ壁１０９はホルダ本体１００の裏面１００ａから後方へ延びるリブ状である。位置決め突起１０８の両側にはテーパ面１０８ａが、ストッパ壁１０９の右側にはストッパ面１０９ａがそれぞれ形成されている。係合突起９８が突起収容空間１１０に収容されることによって、雄端子係止具４Ｂが雄端子ホルダ５Ｂに仮係止される。
【００５３】
図１４に示すように、シールパッキン７は環状に形成され、フード７３とホルダ収容室７２との間のパッキン収容空間７８に挿入される。そして、フード７３のパッキン用突起７５によってシールパッキン７が保持且つ固定される。
防水カバー６Ｂは、防水カバー６Ａと同一構成であるので、説明を省略する。
【００５４】
次に、中途挿入を検知しながら、雌コネクタ１Ｂを組み立てる方法について説明する。
図１５のように、ゴム栓６７を通した電線１７を、雄端子２Ｂの電線加締片６６に加締め、ゴム栓６７を雄端子２Ｂのゴム栓加締片６８で加締める。これにより、電線１７を加締めた雄端子２Ｂが形成される。予め複数の端子２Ｂを防水カバー６Ｂの孔５３に挿通する。なお。雄端子２Ｂ′を利用した場合も殆ど同様であるので、説明を省略する。
【００５５】
図１４及び図１７に示すように、雄端子ホルダ５Ｂのレバー挿通孔１０２に雄端子係止具４Ｂの操作レバー９６を挿通すると共に、雄端子係止具４Ｂの枠体９１をガイドレール１０３にスライド自在（Ｙ及びＹ′方向）に係合する。操作レバー９６をフリー（自由）状態のままで、雄端子ホルダ５Ｂの位置決め溝１０５とホルダ収容室７２内の位置決めリブとにより、雄端子ホルダ５Ｂをホルダ収容室７２に導入する。雄端子ホルダ５Ｂのホルダ係合突起１０６と、雌ハウジング本体７０の係合突起との係合により、雄端子ホルダ５Ｂはホルダ収容室７２内で雌ハウジング本体７０の前面に固定される。
【００５６】
図１７に示すように、雄端子ホルダ５Ｂのレバー挿通孔１０２から突出した操作レバー９６を左側（Ｙ方向）にスライドする。枠体９１の段差９７を可撓させることによって雄端子係止具４Ｂの係止突起９８に位置決め突起１０８を乗り越えさせ、突起収容空間１１０内に係止突起９８を挿入する。位置決め突起１０８のテーパ面１０８ａとストッパ壁１０９のストッパ面１０９ａとにより、雌端子係止具４Ｂを雌端子ホルダ５Ｂに仮係止する。この時、図１８のように、雌ハウジング本体７０の端子収容室７１と、雄端子係止具４Ｂの端子導入口９４と、雄端子ホルダ５Ｂの端子挿通孔１０１とは全て一直線上に並んでいる。
【００５７】
仮係止状態で、図１９に示すように、端子収容室７１から雄端子係止具４Ｂの端子導入口９４を経由して雄端子ホルダ５Ｂの端子挿通孔１０１へ雄端子２Ｂを挿通する。図１９及び図２０に示すように、端子挿通孔１０１から雄端子２Ｂのタブ状接触子６３が突出し、雄端子２Ｂの可撓係止片６２が端子挿通孔１０１内に形成された係合段部１１１に係止（一次係止）され、且つゴム栓６７が端子収容室７１内に密着されている。雄端子２Ｂを挿入された端子挿通孔１０１内にも僅かなクリアランス（隙間又は遊び）があるので、端子挿通孔１０１内で雄端子２Ｂが密着せずに多少自由に雄端子挿入方向（Ｑ方向）又はその反対方向へ移動可能である。
【００５８】
ここで、図１９に示すように、雄端子係止具４Ｂの一対の操作レバー（又は一方の操作レバー）９６を把持し、操作レバー９６を左方向（下方向（Ｙ方向））へスライドさせる。図２１に示すように、雄端子係止具４Ｂの係止突起９８に雄端子ホルダ５Ｂの位置決め突起１０８を乗り越えさせ、雄端子ホルダ５Ｂに対して雄端子係止具４Ｂを本係止状態へ移行させる。
【００５９】
図１９及び図２０に示すように、雄端子２Ｂが完全に端子収容室７１内に挿入されている場合には、図２２及び図２３に示すように、スライドした垂直壁９３が雄端子２Ｂの肩部６５に係合し、雄端子２Ｂが二次係止される。つまり、雄端子係止具４Ｂの仮係止状態が完全に解除されて本係止されることによって、雄端子２Ｂが二重係止される。
【００６０】
一方、図２４及び図２５に示すように、雄端子２Ｂが端子収容室７１内に不完全な中途挿入状態である場合には、垂直壁９３が雄端子２Ｂの端子本体６１に突き当たって肩部６５に係合しない。即ち、雄端子ホルダ５Ｂに対して雄端子係止具４Ｂを本係止状態へ移行できないため、雄端子２Ｂが二重係止されない。これにより、雄端子係止具４Ｂを本係止状態に移行できるか否かによって、端子収容室７１内での雄端子２Ｂの挿入状態を検知できる。なお、未完全挿入状態の雄端子２Ｂ″が検知された場合には、治具等を利用して雄端子２Ｂ″を端子収容室７１内へ引き出すことも可能である。
【００６１】
なお、雄端子２Ｂの不完全挿入状態に関して程度の差はあるが、僅か（クリアランスで吸収可能な程度）であれば、スライドされた雄端子係止具４Ｂの垂直壁９３と枠体９１の垂直部９１ａとによって雄端子２Ｂを端子挿通孔１０１内へ押し込むことができる。つまり、雄端子２Ｂを端子収容室７１内に押し込むことが可能なので、雄端子２Ｂの不完全挿入状態を完全挿入状態へ自動的に移行できる。
【００６２】
図１４に示すように、端子収容室７１内に雄端子２Ｂを二重係止した後に、又は端子収容室７１に雄端子２Ｂを挿入する前に、シールパッキン７をフード７３内のパッキン収容空間７８に挿着する。それから、防水カバー６Ｂのフランジ５２に雌ハウジング本体７０の鍔７４を係合することによって、雌ハウジング本体７０に防水カバー６Ｂを嵌着する。以上により、図２６に示すように、雌コネクタ１Ｂが組み立てられる。
【００６３】
次に、図２７〜図２９を参照しながら、上記の雄コネクタ１Ａと雌コネクタ１Ｂとを嵌合して端子係止具付き電気コネクタ１（以下、単に電気コネクタという）を組み立てる方法について説明する。
検知後には、図２７に示すように、雄端子係止具４Ａの操作レバー３５を受け入れるレバー収容空間７９が、雌コネクタ１Ｂのホルダ収容室７２内、即ち、雄端子係止具４Ｂとホルダ収容室７２との間に形成されている。
【００６４】
図２８に示すように（図１及び図１４を参照）、雌コネクタ１Ｂに設けられた操作用カム部材８のカム溝８３に、雄コネクタ１Ａの駆動軸２５を導入する。操作用カム部材８を弾性力に抗して反時計方向（Ｚ方向）へ回転させることにより、雄コネクタ１Ａの案内突起２６が雌コネクタ１Ｂのガイド溝７７によって案内されながら、雄コネクタ１Ａが雌コネクタ１Ｂのフード７３内に挿入される。操作用カム部材８の回転に伴って、雄端子２Ｂのタブ状接触子６３が雌端子２Ａの二股状接触子１３に挿入される。そして、雌コネクタ１Ｂの操作レバー９６が雌端子ホルダ５Ａのレバー収容孔４２から雌端子係止具４Ａのレバー受入口３５に進入し、且つ雄係止具４Ｂの操作レバー９６が雌コネクタ１Ａのレバー収容室７８内に受け入れられる。
【００６５】
操作用カム部材８の嵌合板８４と、雄コネクタ１Ａのロックアーム２３とを係合させることにより、雌コネクタ１Ａのフード２２内に雄コネクタ１Ｂが完全に挿入されると共に、雌コネクタ１Ｂ内の雄端子２Ｂと雄コネクタ１Ａ内の雌端子２Ａとが電気的に接続される。雄コネクタ１Ａと雌コネクタ１Ｂとの嵌合状態を維持するため、ロックアーム２３の下部に嵌合状態維持部材（図示せず）を組み付ける（押し込む）。嵌合状態維持部材を組み付けることにより、嵌合状態が保証される。こうして、図２９に示すような電気コネクタ１が組み立てられる。
【００６６】
なお、図１及び図１４に示すように、本実施形態では雄コネクタ１Ａ及び雌コネクタ１Ｂが防水タイプ（防水型）であるが、本実施形態に限定されるものではない。また、カム機構の手段として本実施形態の操作用カム部材８に限定されるものではない。更に、カム機構を利用せずに雄コネクタ１Ａと雌コネクタ１Ｂとを嵌合することも可能である。
【００６７】
【発明の効果】
以上のように、本発明に係る端子係止具付き雌コネクタによれば、雄端子係止具を雄端子挿入方向と直交する方向へスライドさせることにより、端子収容室内に挿入された雄端子の挿入状態を簡単且つ確実に検知できる。これにより、従来と比較して、端子係止具付き雌コネクタ自身によって雄端子の挿入状態を検知できる。
また、雄端子係止具がホルダ収容室内に配置されているので、意匠性の点で端子係止具付き雌コネクタの美観が損なわれるのを防止できる。そして、例えば、端子係止具付き雌コネクタの運搬時に、雄端子係止具の破損を防止できる。
【００６８】
この場合、雄端子ホルダに仮係止又は本係止される枠体が仮係止時に、端子収容室に挿入された雄端子が枠体内に挿入される。枠体にスライド方向と交差する方向へ垂直壁を配設したので、枠体の本係止時に、垂直壁を雄端子の肩部に係合できる。即ち、雄端子が端子収容室内に完全に挿入されていることが分かる。一方、枠体を本係止できない場合には垂直壁を雄端子の肩部に係合できず、端子収容室への雄端子の挿入状態が不完全であることが分かる。そして、雄端子係止具のスライドを操作レバーによって行うことができるので、検知作業に要する時間が少なく。
【００６９】
しかも、操作レバーを雄端子係止具の略中央に配置すると共に、雄端子ホルダからフード内へ突出させるので、雄端子係止具の仮係止時に、端子挿通孔からフード内へ突出する雄端子を操作レバーに突き当てることができる。これによって、端子収容室への雄端子の挿入時に、雄端子のコジリを防止できる。
【００７０】
本発明に係る端子係止具付き電気コネクタによれば、請求項２に記載のものにおいては、雌端子係止具を雌端子挿入方向と直交する方向へスライドさせることにより、端子収容室内に挿入された雌端子の挿入状態を簡単且つ確実に検知できる。これにより、従来と比較して、端子係止具付き雄コネクタ自身によって雌端子の挿入状態を検知できる。
また、雌端子係止具がホルダ収容室内に配置されているので、意匠性の点で端子係止具付き雄コネクタの美観が損なわれるのを防止できる。そして、例えば、端子係止具付き雄コネクタの運搬時に、雌端子係止具の破損を防止できる。
【００７１】
しかも、雄端子係止具及び雌端子係止具の本係止状態の時、雄端子係止具の操作レバーを雌端子ホルダのレバー収容孔に収容できる。それと共に、雌端子係止具の操作レバーを端子係止具付き雌コネクタのレバー収容空間に収容できる。これによって、各端子係止具の操作レバー同士を干渉させることなく、端子係止具付き雌コネクタ及び雄コネクタを嵌合できる。
また、各操作レバーをレバー収容孔及びレバー収容空間にそれぞれ挿入できるか否かにより、端子係止具付き雌コネクタ及び雄コネクタの嵌合状態を検知できる。
【００７２】
請求項３に記載のものによれば、端子係止具付き雌コネクタ及び雄コネクタを嵌合することによって、本係止状態の雄端子係止具の操作レバーを雌端子係止具のレバー受入口に挿入できる。即ち、雄端子係止具の操作レバーをレバー受入口に挿入できるか否かにより、両コネクタの嵌合状態を検知できる。
また、雌端子係止具及び雄端子係止具が本係止状態である場合に限って、雄端子係止具の操作レバーをレバー受入口に挿入でき、しかも両コネクタを嵌合できる。
更に、請求項２及び３に記載のものによれば、雄端子係止具の操作レバーを雌端子ホルダのレバー収容孔に挿入できるか否かによって雄端子係止具の本係止状態を検知でき、そして、雄端子係止具の操作レバーを雌端子係止具のレバー受入口に挿入できるか否かよって、雄端子係止具の本係止状態も検知できる。更に、雌端子係止具の操作レバーを端子係止具付き雌コネクタのレバー収容空間に挿入できるか否かによって、雌端子係止具の本係止状態を検知できる。その上、上記三つの挿入状態を満足すれば、端子係止具付き雌コネクタ及び雄コネクタを嵌合できる。即ち、端子係止具付き電気コネクタを組み立てる際には三重の検査に合格しなければらないので、該電気コネクタの品質を向上できる。
【００７３】
請求項４に記載のものによれば、カム機構によって嵌合作業を行うので、端子係止具付き雌コネクタ及び雄コネクタを低挿入力で嵌合できる。これにより、嵌合作業の効率化を達成できる。
請求項５に記載のものによれば、端子係止具付き雌コネクタ及び雄コネクタを防水型にすることにより、端子係止具付き電気コネクタを防水できる。これにより、防水型であるか否かを問わずに、端子係止具付き雌コネクタ及び雄コネクタを利用できる。
【図面の簡単な説明】
【図１】  本発明に係る端子係止具付き電気コネクタに使用される雄コネクタの分解斜視図である。
【図２】  図１における雌端子を拡大した斜視図である。
【図３】  図１における雄ハウジング本体、雌端子係止具、及び雌端子ホルダの拡大斜視図である。
【図４】  雌端子係止具を雌端子ホルダにスライド自在に係合した状態を示す説明図である（雌端子係止具の仮係止状態）。
【図５】  雄ハウジング本体に図４の状態の雌端子ホルダを取り付けた状態を示す図である。
【図６】  図５の状態で雌端子を挿入した状態を示す図である。
【図７】  図６における一つの雌端子を中心として拡大した図である。
【図８】  図４における雌端子係止具をＸ方向へスライドして仮係止状態を解除した状態（本係止状態）を示す説明図である。
【図９】  図６において雌端子係止具をＸ方向へスライドさせて雌端子を二重係止すると共に、雌端子係止具を本係止状態に移行した状態を示す図である。
【図１０】  図９における一つの雌端子を中心として拡大した図である。
【図１１】  雌端子係止具の仮係止状態時に、端子収容室内に不完全挿入状態の雌端子がある場合を示す図である。
【図１２】  図１１における一つの雌端子を中心として拡大した図である。
【図１３】  完成された雄コネクタの図（但し、防水カバー及び雌端子を省略した図）である。
【図１４】  本発明に係る端子係止具付き雌コネクタを示す分解斜視図である。
【図１５】  図１４における雄端子を拡大した斜視図である。
【図１６】  図１４における雌コネクタハウジング、雄端子係止具、及び雄端子ホルダを示す斜視図である。
【図１７】  図１４における雄端子ホルダに雄端子係止具をスライド自在に係合した状態（仮係止状態）を示す説明図である。
【図１８】  雌ハウジング本体に図１７の状態の雄端子ホルダを取り付けた状態を示す図である。
【図１９】  図１８の状態で雄端子を挿入した状態を示す図である。
【図２０】  図１９における一つの雄端子を中心として拡大した図である。
【図２１】  図１７において雄端子係止具をスライドさせて本係止した状態を示す説明図である。
【図２２】  図１９の雄端子係止具をＹ方向へスライドさせて本係止状態へ移行した状態を示す図である。
【図２３】  図２２における一つの雄端子を中心として拡大した図である。
【図２４】  図１９において端子収容室内に不完全挿入状態の雄端子を有する場合を示す図である。
【図２５】  図２４のおける一つの雄端子を中心として拡大した図である。
【図２６】  完成された雌コネクタの図（但し、防水カバー及び雄端子を省略した図）である。
【図２７】  図１３の雄コネクタと図２６の雌コネクタとを嵌合する前の状態を示す図である。
【図２８】  図２７において雄コネクタと雌コネクタとを嵌合した状態を示す図である。
【図２９】  図２８における斜視図（但し、防水カバー及び雌雄端子を省略した図）である。
【図３０】  従来例を示す図である。
【符号の説明】
１                    （端子係止具付き）電気コネクタ
１Ａ                  （端子係止具付き）雄コネクタ
１Ｂ                  （端子係止具付き）雌コネクタ
２Ａ                  雌端子
２Ｂ（２Ｂ′）        雄端子
４Ａ                  雌端子係止具
４Ｂ                  雄端子係止具
５Ａ                  雌端子ホルダ
５Ｂ                  雄端子ホルダ
１９                  肩部
２０                  雄ハウジング本体
２１（２１′）        端子収容室
２２                  ホルダ収容室
３１                  枠体
３３                  垂直壁
３４（３４′）        端子導入口
３５                  レバー受入口
３６                  操作レバー
４１（４１′）        端子挿通孔
４２                  レバー収容孔
６５                  肩部
７０                  雌ハウジング本体
７１（７１′）        端子収容室
７２                  ホルダ収容室
７３                  フード
７８                  レバー収容空間
９１                  枠体
９３                  垂直壁
９４（９４′）        端子導入口
９６                  操作レバー
１０１（１０１′）    端子挿通孔
【図１】
0003685314.tif 000002
【図２】
0003685314.tif 000003
【図３】
0003685314.tif 000004
【図４】
0003685314.tif 000005
【図５】
0003685314.tif 000006
【図６】
0003685314.tif 000007
【図７】
0003685314.tif 000008
【図８】
0003685314.tif 000009
【図９】
0003685314.tif 000010
【図１０】
0003685314.tif 000011
【図１１】
0003685314.tif 000012
【図１２】
0003685314.tif 000013
【図１３】
0003685314.tif 000014
【図１４】
0003685314.tif 000015
【図１５】
0003685314.tif 000016
【図１６】
0003685314.tif 000017
【図１７】
0003685314.tif 000018
【図１８】
0003685314.tif 000019
【図１９】
0003685314.tif 000020
【図２０】
0003685314.tif 000021
【図２１】
0003685314.tif 000022
【図２２】
0003685314.tif 000023
【図２３】
0003685314.tif 000024
【図２４】
0003685314.tif 000025
【図２５】
0003685314.tif 000026
【図２６】
0003685314.tif 000027
【図２７】
0003685314.tif 000028
【図２８】
0003685314.tif 000029
【図２９】
0003685314.tif 000030
【図３０】
0003685314.tif 000031